(57)【要約】【課題】  本発明は，迅速に組み立てることができ，再利用可能な病室用パネルユニットを提供することを目的とする。【解決手段】  本発明は，基本的には，側壁用パネル１にキャスタ１１を設けて,側壁用パネルを移動可能にし,組み立てを行った後にはばき１３でキャスタ１１を覆うことで，迅速に組み立てることができる病室用パネルユニットを提供できる。本発明は，側壁用パネルを，スライドレール付の骨組みと，パネル部に分けて，骨組みを組み立てた後に，パネル部をスライドレールに取り付けることで，迅速に組み立てることができる病室用パネルユニットを提供できる。本発明は，側壁用パネルの接続部の一方にフックを取り付け，側壁用パネルの接続部のもう一方にフックと連結できるファスナーを設けることで，２つの側壁用パネルを固定でき，離脱させることができ，これにより再利用可能な病室用パネルユニットを提供できる。【選択図】図１
2011174366.tif 000002
【特許請求の範囲】
【請求項１】
第１の側壁を構成する第１の側壁用パネル（１）と；
前記第１の側壁用パネル（１）の端部と接続される第２の側壁を構成する第２の側壁用パネル（２）と；
前記第２の側壁用パネル（２）の残りの端部と接続される第３の側壁を構成する第３の側壁用パネル（３）と；
前記第３の側壁用パネル（３）の端部と接続される第４の側壁を構成する第４の側壁用パネル（４）と；
を具備する，病室用パネルユニットであって，
前記第１の側壁用パネル（１）は，第１の側壁用パネル（１）の下方部分に第１のキャスタ（１１）を有し，
前記第２の側壁用パネル（２）は，第２の側壁用パネル（２）の下方部分に第２のキャスタ（１２）を有し，
前記第１の側壁用パネル（１）は，前記第１のキャスタ（１１）を覆う，取り外し可能な第１のはばき（１３）を有し，
前記第２の側壁用パネル（２）は，前記第２のキャスタ（１２）を覆う，取り外し可能な第２のはばき（１４）を有する，
病室用パネルユニット。
【請求項２】
前記第１の側壁用パネル（１）は，第１の側壁用パネル（１）の下方部分に，高さ調節アジャスタ(１５)をさらに有する，請求項１に記載の病室用ユニット。
【請求項３】
前記第１のキャスタ（１１），及び前記第２のキャスタ（１２）ボールキャスタである，
請求項１に記載の病室用パネルユニット。
【請求項４】
前記第１の側壁用パネル（１）は，第１の外枠（２１）と，前記第１の外枠に取り付けられた第１のスライドレール（２２）と，前記第１のスライドレール（２２）に収納される第１のパネル（２３）とを有し，
前記第２の側壁用パネル（２）は，第２の外枠と，前記第２の外枠に取り付けられた第２のスライドレールと，前記第２のスライドレールに収納される第２のパネルとを有する，
請求項１に記載の病室用パネルユニット。
【請求項５】
前記第１の側壁用パネル（１）と前記第２の側壁用パネル（２）の一方は，前記第１の側壁用パネル（１）と前記第２の側壁用パネル（２）の接続部分に，鍵部（３１）を有するフック（３２）を有し，
前記第１の側壁用パネル（１）と前記第２の側壁用パネル（２）の残りの一方は，前記第１の側壁用パネル（１）と前記第２の側壁用パネル（２）の接続部分に，前記鍵部（３１）と結合して，前記フック（３２）をひきつけることができる係部（３３）を有するとともに，前記係部（３３）を前記鍵部（３１）に結合させ，又は結合を解除できる開閉部（３４）を有するファスナー(３５)を有する，
請求項１に記載の病室用パネルユニット。
【発明の詳細な説明】
【技術分野】
【０００１】
本発明は，設置や移動が容易な病室用パネルユニットに関する。
【背景技術】
【０００２】
特許第４１８７１７３号公報には，病室用パネルユニットが開示されている。特許第４１８７１７３号公報に開示された病室用パネルユニットは，簡便な要素で十分な強度を有し，利便性の高い病室用ユニットである。
【先行技術文献】
【特許文献】
【０００３】
【特許文献１】特許第４１８７１７３号公報
【発明の概要】
【発明が解決しようとする課題】
【０００４】
特許第４１８７１７３号公報に開示された病室用パネルユニットは，１ユニットを組み立てるために１日を要する。このため，緊急時にたくさんのユニットを提供できないという問題がある。
【０００５】
また，特許第４１８７１７３号公報に開示された病室用パネルユニットは，設置型のユニットなので，一度病室に設置してしまうとパネルユニットを再利用できないという問題がある。
【０００６】
そこで，本発明は，迅速に組み立てることができる病室用パネルユニットを提供することを目的とする。
【０００７】
また，本発明は，再利用可能な病室用パネルユニットを提供することを目的とする。
【課題を解決するための手段】
【０００８】
本発明は，基本的には，側壁用パネルにキャスタを設けて,側壁用パネルを移動可能にし,組み立てを行った後にはばきでキャスタを覆うことで，迅速に組み立てることができる病室用パネルユニットを提供できるという知見に基づく。
【０００９】
本発明は，基本的には，側壁用パネルを，スライドレール付の骨組みと，パネル部に分けて，骨組みを組み立てた後に，パネル部をスライドレールに取り付けることで，迅速に組み立てることができる病室用パネルユニットを提供できるという知見に基づく。
【００１０】
さらに，本発明は，側壁用パネルの接続部の一方にフックを取り付け，側壁用パネルの接続部のもう一方にフックと連結できるファスナーを設けることで，フック及びファスナーにより２つの側壁用パネルを固定でき，離脱させることができ，これにより再利用可能な病室用パネルユニットを提供できるという知見に基づく。
【００１１】
本発明の第１の側面は，病室用パネルユニットに関する。この病室用パネルユニットは，第１の側壁を構成する第１の側壁用パネル１と，第１の側壁用パネル１の端部と接続される第２の側壁を構成する第２の側壁用パネル２と，第２の側壁用パネル２の残りの端部と接続される第３の側壁を構成する第３の側壁用パネル３と，第３の側壁用パネル３の残りの端部と接続される第４の側壁を構成する第４の側壁用パネル４とを具備する。
【００１２】
そして，第１の側壁用パネル１は，第１の側壁用パネル１の下方部分に第１のキャスタ１１を有する。また，好ましくは，第２の側壁用パネル２は，第２の側壁用パネル２の下方部分に第２のキャスタ１２を有する。第３の側壁用パネル３は，好ましくは，第３の側壁用パネル３の下方部分に第３のキャスタを有する。第４の側壁用パネル４は，好ましくは，第４の側壁用パネル４の下方部分に第４のキャスタを有する。
【００１３】
また，第１の側壁用パネル１は，第１のキャスタ１１を覆う，取り外し可能な第１のはばき１３を有する。第２の側壁用パネル２は，好ましくは，第２のキャスタ１２を覆う，取り外し可能な第２のはばき１４を有する。第３の側壁用パネル３は，好ましくは，第３のキャスタを覆う，取り外し可能な第３のはばきを有する。第４の側壁用パネル４は，好ましくは，第４のキャスタを覆う，取り外し可能な第４のはばきを有する。
【００１４】
このように，本発明の病室用パネルユニットの側壁を構成する側壁用パネルはキャスタを有するため，移動することができる。しかも，本発明の病室用パネルユニット側壁用パネルは，キャスタを覆う取り外し可能なはばきを有するため，側壁を設置した後に外見上は通常の壁と同様の外観を有する。そして，はばきを取り外し，側壁用パネルを分離すると，側壁用パネルを移動させることができる。
【００１５】
本発明の第１の側面の好ましい態様は，第１の側壁用パネル１の下方部分に，高さ調節アジャスタ１５をさらに有するものである。なお，第２の側壁用パネル２，第３の側壁用パネル３，及び第４の側壁用パネル４のいずれか又は２つ以上についても，高さ調整アジャスタが設けられていても良い。
【００１６】
側壁用パネルの下方部分に，高さ調節アジャスタが存在するため，側壁用パネルを設置する位置においてキャスタを浮かすように調整することでパネルが移動する事態を防止できる。
【００１７】
本発明の第１の側面の好ましい態様は，第１のキャスタ１１，第２のキャスタ１２，第３のキャスタ及び第４のキャスタが，ボールキャスタのものである。ボールキャスタを用いることで，側壁用パネルの進行方向を自由にすることができる。これにより，わずかな隙間しかない場所においても，効果的に側壁用パネルを移動させることができる。
【００１８】
本発明の第１の側面の好ましい態様は，第１の側壁用パネル１が，第１の外枠２１と，第１の外枠に取り付けられた第１のスライドレール２２と，第１のスライドレール２２に収納される第１のパネル２３とを有する。第２の側壁用パネル２は，第２の外枠と，第２の外枠に取り付けられた第２のスライドレールと，第２のスライドレールに収納される第２のパネルとを有する。第３の側壁用パネル３は，好ましくは，第３の外枠と，第３の外枠に取り付けられた第３のスライドレールと，第３のスライドレールに収納される第３のパネルとを有する。そして，第４の側壁用パネル４は，好ましくは，第４の外枠と，第４の外枠に取り付けられた第４のスライドレールと，第４のスライドレールに収納される第４のパネルとを有する。
【００１９】
このように側壁用パネルを構成する外枠にスライドレールが設けられているので，パネルを別に運搬することができる。そして，側壁用パネルを設置する位置において，スライドレールを介して，パネルを装着することができる。
【００２０】
本発明の第１の側面の好ましい態様は，第１の側壁用パネル１と第２の側壁用パネル２の一方は，第１の側壁用パネル１と第２の側壁用パネル２の接続部分に，鍵部３１を有するフック３２を有する。第１の側壁用パネル１と第２の側壁用パネル２の残りの一方は，第１の側壁用パネル１と第２の側壁用パネル２の接続部分に，鍵部３１と結合して，フック３２をひきつけることができる係部３３を有するとともに，係部３３を鍵部３１に結合させ，又は結合を解除できる開閉部３４を有するファスナー３５を有する。
【００２１】
なお，他の側壁パネル間も同様にフックとファスナーにより開放できる状態で接続されるものが好ましい。このように，側壁パネル間を固着せずに，取り外しできる状態とすることで，病室ユニットを移動させる際にも，側壁パネルを破壊せずに再利用することができることとなる。
【発明の効果】
【００２２】
本発明によれば，迅速に組み立てることができる病室用パネルユニットを提供することができる。
【００２３】
また，本発明によれば，再利用可能な病室用パネルユニットを提供することができる。
【図面の簡単な説明】
【００２４】
【図１】図１は，病室用パネルユニットの例を示す図である。
【図２】図２は，第１の側壁用パネルを説明するための図である。
【図３】図３は，側壁用パネルの下方部分を示す図である。
【図４】図４は，側壁用パネルの構造を説明するための図である。図４（ａ）は，パネルを装着する前の側壁用パネルの外枠を示す。図４（ｂ）は，パネルを装着した後の側壁用パネルの外枠を示す。
【図５】図５は，側壁用パネル間の接続部を説明するための図である。
【図６】図６は，側壁用パネル間の接続の様子を説明するための図である。図６（ａ）は，接続前の状態を示す。図６（ｂ）は，接続中の様子を示す。図６（ｃ）は，接続後の様子を示す。
【図７】図７は，第１の側壁用パネル１に第２の側壁用パネル２の一部を接続する様子を示す図である。
【図８】図８は，第２の側壁用パネルを構成するモジュールを組み立てる工程を示す。
【図９】図９は，第２の側壁用パネルを構成するモジュールを組み立てる工程を示す。
【図１０】図１０は，第２の側壁用パネルの一部にはばきを設置した様子を示す。
【図１１】図１１は，第２の側壁用パネルの一部及び第１の側壁用パネルにはばきを設置した様子を示す。
【図１２】図１２は，第３の側壁用パネルを第２の側壁用パネルに接続した様子を示す。
【図１３】図１３は，第３の側壁用パネルの一部にモジュールを取り付けた様子を示す。
【図１４】図１４は，第１の側壁用パネルと第２の側壁用パネルにより形成される隅部分に三角コーナーを設置した様子を示す。
【図１５】図１５は，第１の側壁用パネルの端部にエンドパネルをはめた様子を示す。
【図１６】図１６は，第３の側壁用パネルの端部にロッカーを設置した様子を示す。
【図１７】図１７は，第３の側壁用パネル上のモジュールと連結したモジュールをロッカー上に設けた様子を示す。
【図１８】図１８は，ロッカーと接するように第４の側壁用パネルを設置した様子を示す。
【図１９】図１９は，第１の側壁用パネルと第４の側壁用パネルとを接続するレールを取り付けた様子を示す。
【発明を実施するための形態】
【００２５】
以下，実施例に基づいて本発明を具体的に説明する。本発明は，以下の実施例に限定されるものではなく，当業者に自明な範囲で適宜修正したものも本発明に含まれる。
【実施例１】
【００２６】
本発明の第１の側面は，病室用パネルユニットに関する。病室用パネルユニットは，特許第４１８７１７３号公報に開示されたように，たとえば，病院内に設置され，擬似個室を形成することができる複数のパネルを有するユニットシステムである。
【００２７】
図１は，病室用パネルユニットの例を示す図である。この病室用パネルユニットは，第１の側壁を構成する第１の側壁用パネル１と，第１の側壁用パネル１の端部と接続される第２の側壁を構成する第２の側壁用パネル２と，第２の側壁用パネル２の残りの端部（第２の側壁用パネル２の端部のうち第１の側壁用パネル１と反対側の端部）と接続される第３の側壁を構成する第３の側壁用パネル３と，第３の側壁用パネル３の残りの端部（第３の側壁用パネル３の端部のうち第２の側壁用パネル２と反対側の端部）と接続される第４の側壁を構成する第４の側壁用パネル４とを具備する。第１の側壁用パネル１と第２の側壁用パネル２とは，好ましくは，垂直となるように設置される。第２の側壁用パネル２と第３の側壁用パネル３とは，好ましくは，垂直となるように設置される。第３の側壁用パネル３と第４の側壁用パネル４とは，好ましくは，垂直となるように設置される。
【００２８】
図１に示す病室用ユニットは，２つの隣接する病室とすることができる病室用ユニットの例である。しかしながら，本発明の病室用ユニットは，一部屋ごとであってもよいし，さらに複数の病室が設けられるものであってもよい。図１は，２部屋が一体となったユニットを示している。よって，第３の側壁用パネル３と隣室の側壁用パネルのひとつは，一体のように描かれているが，別々であってもよい。また，第４の側壁用パネル４は，２つの部屋で共有する形を取っているが，一部屋ごとの病室用ユニットにおいては，その半分の部分のみが第４の側壁用パネルを構成してもよい。
【００２９】
図１の例では，第２の側壁用パネル２がさらに３つのパネルにより構成されている。このように，各側壁用パネルは１枚の外枠からなるものである必要はなく，複数の外枠を有する側壁用パネルの集合体であっても良い。
【００３０】
本発明の病室用パネルユニットにおける側壁用パネルの高さは，特に限定されないが，それを設置する屋内の天井高（床から天井までの高さ）を考慮して決定すればよい。建築基準法で居室として必要な天井高は２ｍ１０ｃｍ以上，住宅金融公庫の融資基準では２ｍ３０ｃｍ以上と定められており，最近のマンションでは，２．４ｍ以上が一般的になってきている。また，スラブと天井板の間に十分な厚さがあり，二重床・二重天井となっている場合，くぼみが設けてある可能性があり，その際の天井高は２ｍ８０ｃｍ程度である。よって，本発明の病室用パネルユニットに係る壁面用パネルの高さも１ｍ５０ｃｍ以上２ｍ８０ｃｍ以下があげられ，１ｍ８０ｃｍ以上２ｍ５０ｃｍ以下でもよく，１ｍ８０ｃｍ以上２ｍ以下でもよい。
【００３１】
また，本発明の病室用パネルユニットに係る側壁用パネルの幅は，以下の要件を考慮して決定すればよい。シングル用ベッドは横幅が１ｍ程度，縦幅が２ｍ程度である。さらに，最低限のスペースとして，ベッドの側面に収納や物置に使用できる机またはタンス等を置くスペースとして６０ｃｍ程度を確保し，また他方のベッドの側面に通路等のスペースとして６０ｃｍ程度を確保する必要である。さらに，日本家屋の寸法上の特徴を考慮すれば，日本家屋は３尺×６尺（半間×1間，９１ｃｍ×１ｍ８２ｃｍ）という寸法が全ての基本となっており，それらを考慮すれば，側壁用パネルの幅を１．５ｍ以上５ｍ以下，好ましくは１ｍ８０ｃｍ以上２ｍ８０ｃｍ以下とすることが好ましい。また，側壁用パネルの幅を１ｍ８０ｃｍ以上３ｍ以下とすることが好ましい。
【００３２】
本発明の病室用パネルユニットに係る側壁用パネルの厚さは，適宜調整すればよい。側壁用パネルの厚さは，強度や防音性，重量などの観点から適宜調整すればよく，具体的には１ｃｍ以上１０ｃｍ以下があげられ，３ｃｍ以上１０ｃｍ以下が好ましく４ｃｍ以上５ｃｍ以下でもよい。また，側壁用パネルの厚さは，その内面に仕切り部を具備する場合は，側壁用パネルの厚さより厚くすることが望ましい。具体的な厚さとして，５ｃｍ以上３０ｃｍ以下があげられ，５ｃｍ以上２０ｃｍ以下が好ましく５ｃｍ以上１０ｃｍ以下でもよい。
【００３３】
遮音性を確保するため，骨組を表面材と裏打材で挟んだ構造のパネルを用いた場合，パネルの厚さとして５０ｍｍ以上７０ｍｍ以下が好ましい。これにより，パネルの材質によるがパネルの遮音性能は５００ｈｚで４５ｄＢ程度となり，仮に壁面用パネルを天井に接地させて，出入口として用いる仕切り部を閉じた場合，会議室等と同様の遮音性能を有する。よって，それ相当の音量を発生させる医療機器を用いた場合でも，隣室への騒音の影響を防ぐことができる。
【００３４】
基本的な壁面用パネルの製造法としては，二枚の表面材としてのパネルの間にペーパーコアを挟み，フレームとしてアルミ押切形材を用いる。下側には，巾木とその位置や高さの微調整のための巾木ジャッキを巾木の上部であり，二枚の表面材の間に内在させる。上側のフレームとして場合によっては天井レール等を用いてもよい。また，両側には柱や連結材の役目を果たすポストを用い，ポストカバーを用いてその継ぎ目をカバーする。光彩を得るためにガラスを用いる場合には，その四隅にガラスキーパーを用いフレーム，天井レール，ポスト間に固定することができる。
【００３５】
図２は，第１の側壁用パネルを説明するための図である。図２に示されるように，第１の側壁用パネル１は，第１の側壁用パネル１の下方部分に第１のキャスタ１１を有する。第１の側壁用パネル１の下方部分とは，側壁用パネルを上方から見たときにキャスタが見えないような位置を意味する。キャスタは，側壁用パネルの下端部に取り付けられているものが好ましい。なお，図２の左部分には，後に病室ユニットの組み立て工程を説明するために，隣室を形成する側壁用パネルのひとつもあわせて描画されている。
【００３６】
発明の第１の側面の好ましい態様は，第１のキャスタ１１，第２のキャスタ１２，第３のキャスタ及び第４のキャスタが，ボールキャスタのものである。ボールキャスタを用いることで，側壁用パネルの進行方向を自由にすることができる。これにより，わずかな隙間しかない場所においても，効果的に側壁用パネルを移動させることができる。ボールキャスタは，たとえば特許４２６００６５号公報，及び特許４３２３３７３号公報に開示されるとおり既に知られている。
【００３７】
また，第２の側壁用パネル２も，好ましくは，第２の側壁用パネル２の下方部分に第２のキャスタ１２を有する。第３の側壁用パネル３は，好ましくは，第３の側壁用パネル３の下方部分に第３のキャスタを有する。第４の側壁用パネル４は，好ましくは，第４の側壁用パネル４の下方部分に第４のキャスタを有する。
【００３８】
また，第１の側壁用パネル１は，第１のキャスタ１１を覆う，取り外し可能な第１のはばき１３を有する。第２の側壁用パネル２は，第２のキャスタ１２を覆う，取り外し可能な第２のはばき１４を有する。第３の側壁用パネル３は，第３のキャスタを覆う，取り外し可能な第３のはばきを有する。第４の側壁用パネル４は，第４のキャスタを覆う，取り外し可能な第４のはばきを有する。
【００３９】
図１に示されるようにはばき２１は，側壁用パネル１の下部分に存在する空間をふさぐように設けられる。これにより，側壁用パネルが外観上固定壁のように見えるため，患者（看者）に安心感を与えることができる。
【００４０】
図２に示す例では，第１の側壁用パネル１の下方部分に，高さ調節アジャスタ１５をさらに有する。なお，第２の側壁用パネル２，第３の側壁用パネル３，及び第４の側壁用パネル４のいずれか又は２つ以上についても，高さ調整アジャスタが設けられていても良い。
【００４１】
図３は，側壁用パネルの下方部分を示す図である。図３に示されるように，側壁用パネルに下端部には，ボールキャスタ１１と高さ調節アジャスタ１５が設けられている。高さ調節アジャスタは，設置するための設置部と，設置部と接続された胴体部とを有する。そして，胴体部は，回転する向きにより，側壁パネルの上方又は下方へと移動する。側壁用パネルの下方部分に，高さ調節アジャスタが存在するため，側壁用パネルを設置する位置においてキャスタを浮かすように調整することでパネルが移動する事態を防止できる。
【００４２】
図２中符号１６は，側壁用パネルの下方部分に存在するはばき固定部である。はばき固定部１６が存在するため，この部分にはばきをはめて固定することができる。また，はばき固定部は，側壁用パネルの下端部に接続されているため，この部分が錘となって，側壁用パネルを固定した際に，側壁用パネルが安定する。このため，はばき固定部は，鉄製などの金属製であることが好ましい。はばき固定部は，たとえば，側壁用パネルの下部の面積の１／３以上９／１０以下，好ましくは１／２以上４／５以下を占めるように設けられている。
【００４３】
図４は，側壁用パネルの構造を説明するための図である。図４（ａ）は，パネルを装着する前の側壁用パネルの外枠を示す。図４（ｂ）は，パネルを装着した後の側壁用パネルの外枠を示す。図４に示されるように，側壁用パネルは，外枠２１と，第１の外枠に取り付けられた第１のスライドレール２２と，第１のスライドレール２２に収納される第１のパネル２３とを有する。スライドレールは，たとえば，外枠の両面に設けられている。スライドレールは，外枠の横方向に渡って設けられた枠である。一方，図４（ｂ）に示されるように，パネルは，スライドレールの形状に合うような溝（パネルレール溝）が設けられている。これにより，スライドレールは，上下２つのスライドレールがペアになって，間に挿入されるパネルを保持する。
【００４４】
第２の側壁用パネル２は，第２の外枠と，第２の外枠に取り付けられた第２のスライドレールと，第２のスライドレールに収納される第２のパネルとを有する。第３の側壁用パネル３は，第３の外枠と，第３の外枠に取り付けられた第３のスライドレールと，第３のスライドレールに収納される第３のパネルとを有する。そして，第４の側壁用パネル４は，第４の外枠と，第４の外枠に取り付けられた第４のスライドレールと，第４のスライドレールに収納される第４のパネルとを有する。
【００４５】
このように側壁用パネルを構成する外枠にスライドレールが設けられているので，パネルを別に運搬することができる。そして，側壁用パネルを設置する位置において，スライドレールを介して，パネルを装着することができる。
【００４６】
図５は，側壁用パネル間の接続部を説明するための図である。図６は，側壁用パネル間の接続の様子を説明するための図である。図６（ａ）に示されるように，第１の側壁用パネル１は第２の側壁用パネル２との接続部分に，鍵部３１を有するフック３２を有する。第２の側壁用パネル２は，第１の側壁用パネル１との接続部分に，鍵部３１と結合して，フック３２をひきつけることができる係部３３を有するファスナー３５を有する。さらに，このファスナー３５は，係部３３を鍵部３１に結合させ，又は結合を解除できる開閉部３４を有する。
【００４７】
第１の側壁用パネル１と第２の側壁用パネル２とを接続する場合は，図５に示されるように第１の側壁用パネル１と第２の側壁用パネル２とを近づける。そして，図６（ａ）に示されるように，接続部の位置を調整する。そして，図６（ｂ）に示されるように，フック３２の鍵部３１に，ファスナー３５の係部３３を引っ掛ける。その後，図６（ｃ）に示されるように，開閉部３４を倒すことで，鍵部３１を引き寄せてフック３２とファスナー３５とを固定することができる。なお，開閉部３４を立てることで，係部３３の引寄せが解放される。
【００４８】
次に，病室用パネルユニットの組立工程例を説明する。この例は，２つの連続した個室を形成する病室用パネルユニットの組み立て工程例である。各モジュールを組み立てる順番は，以下に説明する組み立て例に限定されるものではない。
【００４９】
図２に示すように，第１の側壁用パネル１を設置場所へ移動させる（ステップ１）。この工程は，まず，外枠を設置場所へ移動させ，その後外枠にパネルをはめてもよい。パネルは，後のステップにおいて外枠にはめても良い。
【００５０】
図７は，第１の側壁用パネル１に第２の側壁用パネル２の一部を接続する様子を示す図である。図７に示すように，第１の側壁用パネル１に，第２の側壁用パネル２の一部を接続する（ステップ２）。接続の様子は，図５及び図６で説明したとおりである。なお，側壁用パネルの上部のみならず，下部もフックとファスナーを用いて固定する。
【００５１】
図８及び図９は，第２の側壁用パネルを構成するモジュールを組み立てる工程を示す。図８及び図９に示されるように，第２の側壁用パネルは複数のモジュールにより形成されている。そして，第２の側壁用パネルを構成するモジュールを順に組み立てる（ステップ３及びステップ４）。この際，第２の側壁用パネル２の下部に存在する第２のキャスタ１２は露出している。
【００５２】
図１０は，第２の側壁用パネルの一部にはばきを設置した様子を示す。図１０に示されるように，第２のキャスタ１２を外部から視認できないように，第２の側壁用パネルの下部にはばき２２を設置する(ステップ５)。なお，この工程では，第２の側壁用パネルを構成する外枠に，パネルを装着する。
【００５３】
図１１は，第２の側壁用パネルの一部及び第１の側壁用パネルにはばきを設置した様子を示す。図１１に示されるように，キャスタ１１，１２を外部から視認できないように，第１の側壁用パネルの下部にはばき２１を設置するとともに，第２の側壁用パネルの下部にはばき２２を設置する(ステップ６)。
【００５４】
図１２は，第３の側壁用パネルを第２の側壁用パネルに接続した様子を示す。図１２に示されるように，第３の側壁用パネル３を含むデスクユニットを，第２の側壁用パネル２に接続する（ステップ７）。図１２に示されるように，第３の側壁用パネル３は，第１の側壁用パネル１と平行になるようにされている。そして，第３の側壁用パネル３と第１の側壁用パネル１とは，第２の側壁用パネル２を介して一体となっている。
【００５５】
図１３は，第３の側壁用パネルの一部にモジュールを取り付けた様子を示す。図１３に示されるように，第３の側壁用パネル３のうち，第２の側壁用パネルと接続されている部分を含む部分にモジュールを取り付ける（ステップ８）。このモジュールは，第２の側壁用パネル２と第３の側壁用パネル３との接続を固定するものである。接続部には先に説明したフックとファスナーが設けられる。これにより，モジュールも第２の側壁用パネル及び第３の側壁用パネルと取り外し可能となる。
【００５６】
図１４は，第１の側壁用パネルと第２の側壁用パネルにより形成される隅部分に三角コーナーを設置した様子を示す。図１４に示されるように，第１の側壁用パネルと第２の側壁用パネルにより形成される隅部分に三角コーナーを設置する(ステップ９)。三角コーナー４１は，２つの側壁用パネル間に設置されて，２つの側壁用パネルを安定化させる。三角コーナーの例は，直角三角柱状のボックスである。そして，図１４に示す例では，三角コーナー上にモニタが設置されている。
【００５７】
図１５は，第１の側壁用パネルの端部にエンドパネルをはめた様子を示す。図１５に示されるように，第１の側壁用パネルの端部にエンドパネル４３をはめる（ステップ１０）。これにより，第１の側壁用パネルが壁のような外観を呈するようになる。
【００５８】
図１６は，第３の側壁用パネルの端部にロッカーを設置した様子を示す。図１６に示されるように，第３の側壁用パネルの端部にロッカー４５を設置する(ステップ１１)。
【００５９】
図１７は，第３の側壁用パネル上のモジュールと連結したモジュールをロッカー上に設けた様子を示す。図１７に示されるように，第３の側壁用パネル上のモジュールと連結したモジュールをロッカー上に設ける（ステップ１２）。このモジュールは，後述するロッカー上のモジュールと連結され，第４の側壁用パネルを固定する機能を有する。
【００６０】
図１８は，ロッカーと接するように第４の側壁用パネルを設置した様子を示す。図１８に示されるように，ロッカー４５と接するように第４の側壁用パネル４を設置する（ステップ１３）。図１８に示されるように，第４の側壁用パネル４は，第２の側壁用パネル２と平行になるように設置される。また，第４の側壁用パネル４は，第２の側壁用パネル２に比べて短い。そして，第４の側壁用パネル４は，第１の側壁用パネル１とは直接接続されていない。これにより，第１の側壁用パネル１と第４の側壁用パネル４との間の空間を個室への入り口として利用することができる。
【００６１】
図１９は，第１の側壁用パネルと第４の側壁用パネルとを接続するレールを取り付けた様子を示す。図１９に示されるように，第１の側壁用パネル１と第４の側壁用パネル４とを接続するレール４７を取り付ける（ステップ１４）。
【００６２】
カーテンレールは，特許第４１８７１７３号公報の図７及び段落［００３９］〜［００４３］に説明されているように，レール把持部と，レール把持部により把持されるレールと，レールに取り付けられるカーテンとを有するものが好ましい。
【産業上の利用可能性】
【００６３】
本発明の病室用パネルユニットは，簡易かつ利便性が高い簡易病室を作成できるので，医療用の建設業などの分野で好適に利用される。
【符号の説明】
【００６４】
１  第１の側壁用パネル
２  第２の側壁用パネル
３  第３の側壁用パネル
４  第４の側壁用パネル
１１  第１のキャスタ
１２  第２のキャスタ
１３  第１のはばき
１４  第２のはばき
１５  高さ調節アジャスタ
２１  第１の外枠
２２  第１のスライドレール
２３  第１のパネル
３１  鍵部
３２  フック
３３  係部
３４  開閉部
３５  ファスナー
【図１】
2011174366.tif 000003
【図２】
2011174366.tif 000004
【図３】
2011174366.tif 000005
【図４】
2011174366.tif 000006
【図５】
2011174366.tif 000007
【図６】
2011174366.tif 000008
【図７】
2011174366.tif 000009
【図８】
2011174366.tif 000010
【図９】
2011174366.tif 000011
【図１０】
2011174366.tif 000012
【図１１】
2011174366.tif 000013
【図１２】
2011174366.tif 000014
【図１３】
2011174366.tif 000015
【図１４】
2011174366.tif 000016
【図１５】
2011174366.tif 000017
【図１６】
2011174366.tif 000018
【図１７】
2011174366.tif 000019
【図１８】
2011174366.tif 000020
【図１９】
2011174366.tif 000021